(57)【要約】【課題】営業終了後、球払出装置から無用にパチンコ球が払い出されないようにして、パチンコ球の正確なコンピュータ管理ができるようにした弾球遊技機を提供する。【解決手段】遊技球供給源２０からの遊技球Ｂを誘導する球誘導樋２３と、球通路３０を有し該球通路３０に供給された遊技球Ｂを球送り部材３３により一個ずつ排出する球払出装置２４と、を備えた弾球遊技機Ｐであって、球通路３０と球誘導樋２３における球送り部材３３の側方及び該球送り部材３３より上方の少なくとも一方の通路壁内面に、球送り部材３３に対する球荷重を軽減するためそれら通路内に有る遊技球Ｂのいずれかがその一部を一時的に入り込ませる切欠凹部２７，２７ａ，２７ｂを設けた構成からなる。【選択図】図５
2006087734.tif 000002
【特許請求の範囲】
【請求項１】
遊技球供給源からの遊技球を流下させて誘導する球誘導樋と、前記球誘導樋に連通する球通路を有し該球通路に供給された遊技球を適宜駆動手段によって回転する球送り部材により一個ずつ排出する球払出装置と、を備えた弾球遊技機であって、
前記球通路と前記球誘導樋における前記球送り部材の側方及び該球送り部材より上方の少なくとも一方の通路壁内面に、それら通路内に有る遊技球のいずれかがその一部を一時的に入り込ませ球送り部材に対する球荷重を軽減させる切欠凹部を設けたことを特徴とする弾球遊技機。
【請求項２】
前記切欠凹部は前記通路壁に貫設された孔である請求項１記載の弾球遊技機。
【発明の詳細な説明】
【技術分野】
【０００１】
本発明は、非稼動時に球払出装置から遊技球が無用に排出されるのを防止するようにした弾球遊技機に関するものである。
【背景技術】
【０００２】
従来、例えば、弾球遊技機の一種であるパチンコ遊技機は、機構板の上部に球タンクが配置され、該球タンクに貯留されるパチンコ球が球誘導樋を介してその流下端の球払出装置に供給されるようになっている。この球払出装置には、前記球誘導樋と連通する球通路が設けられると共にその途中に駆動モータによって回転し前記球通路に供給されるパチンコ球を一個ずつ排出する球送り部材が軸着されている（例えば、特許文献１参照。）。そして、入賞球が発生すると、前記球送り部材が所定回数回転し景品球として所定量のパチンコ球を払い出す。払い出されたパチンコ球は、パチンコ遊技機前面の上球皿に貯留される。
【特許文献１】特開２００３−６２２７０号公報(第２−３頁、図１、図４)
【発明の開示】
【発明が解決しようとする課題】
【０００３】
ところで、パチンコホールによっては、営業終了後に球タンクのパチンコ球を球抜きせず翌日までそのまま残すようにしている。このため、球タンクから球払出装置までパチンコ球が留まり連続して並び、しかも、球送り部材外周に複数設けられた円弧状に窪む球受部に最先端のパチンコ球が入って保持されたままになっている場合がある。
【０００４】
このような状態では、球送り部材は駆動モータに接続されていることから自由回転しないものの、この球送り部材に前記最先端のパチンコ球を始め連続するパチンコ球により常にパチンコ球を払い出す方向へ回転させようとする球荷重が働いている。一方、営業終了後には、例えば遊技盤面に植設された障害釘を調整するようにしているが、この際、障害釘を打つ打撃動作や遊技盤の前面に被着される透明板保持枠の開閉動作などに伴う衝撃が球払出装置に伝わり、前記球送り部材が球荷重により無用に回転して前記最先端のパチンコ球を球払出装置から払い出してしまうといった誤動作を生ずるという課題があった。
【０００５】
通常、パチンコホールにあっては、パチンコ遊技機内を循環するパチンコ球数、例えば、打球数、アウト球数、入賞球数、払出球数等が総てコンピュータ管理されている。このため、前記のように球払出装置から誤って一個のパチンコ球が払い出されると、このパチンコ球は検出されないことから、コンピュータの計算上狂いが生ずることになる。これにより、正確な収益管理もできなくなってしまうといった営業上重大な問題を引き起す。
【０００６】
そこで、本発明は上記課題を解決すべくなされたもので、営業終了後、電源を切った後にも球払出装置から無用にパチンコ球が払い出されないようにして、常にパチンコ球の正確なコンピュータ管理ができるようにした弾球遊技機を提供することを目的とするものである。
【課題を解決するための手段】
【０００７】
かかる目的を達成するため本発明に係る弾球遊技機は、遊技球供給源からの遊技球を流下させて誘導する球誘導樋と、前記球誘導樋に連通する球通路を有し該球通路に供給された遊技球を適宜駆動手段によって回転する球送り部材により一個ずつ排出する球払出装置と、を備えた弾球遊技機であって、前記球通路と球誘導樋における球送り部材の側方及び該球送り部材より上方の少なくとも一方の通路壁内面に、それら通路内に有る遊技球のいずれかがその一部を一時的に入り込ませ球送り部材に対する球荷重を軽減させる切欠凹部を設けた構成からなる。
【０００８】
前記切欠凹部は前記通路壁に貫設された孔であることが好ましい。
【発明の効果】
【０００９】
本発明に係る弾球遊技機は、球通路と球誘導樋における球送り部材の側方及び該球送り部材より上方の少なくとも一方の通路壁内面に、それら通路内に有る遊技球のいずれかがその一部を一時的に入り込ませ球送り部材に対する球荷重を軽減させる切欠凹部を設けたので、弾球遊技機への電源を切って球送り部材が停止しているとき、それら通路内に有る遊技球のいずれかの一部が一時的に切欠凹部に入り込んで球送り部材に対する球荷重を軽減する。これにより、球送り部材が回転して球払出装置から無用にパチンコ球が払い出されるといったことがなくなり、常にパチンコ球の正確なコンピュータ管理ができるという効果が有る。
【００１０】
前記切欠凹部を球送り部材より上方の通路壁内面に設けた場合には、球送り部材に対するその球通路の遊技球による球荷重が軽減され、これにより球送り部材を回転または停止させる駆動手段、例えば、モータを小型化でき球払出装置全体のコンパクト化が可能となる。
【００１１】
また、前記切欠凹部が通路壁に貫設された孔であると、通路内のゴミの排出効果もある。
【発明を実施するための最良の形態】
【００１２】
以下、本発明に係る弾球遊技機の実施の形態を図面に基づき説明する。弾球遊技機には、パチンコ遊技機、雀球遊技機、アレパチ機、アレンジボール機があり、本発明はいずれにも適用できるが、この内、パチンコ遊技機について説明する。
【００１３】
図１は本発明に係るパチンコ遊技機の正面図、図２は同裏面図である。パチンコ遊技機Ｐは木製からなる縦長方形状の外枠１を有し、該外枠１の前面に額縁状の前面枠２がその一側上下部を前記外枠１の一側上下部に設けた軸支部３，３に軸支して回動自在に装着される。この前面枠２は、合成樹脂製であってその上部中央に略円形の窓開口４が開設される。前面枠２の裏側には遊技盤５が設置される。そして、遊技盤５前面の遊技部５ａが、内側・外側ガイドレール６ａ，６ｂに囲われるようにして前記窓開口４に臨むようになっている。
【００１４】
遊技盤５の遊技部５ａには、ほぼ中央に位置して数字、図柄等の情報が変動表示される可変表示装置７、その下方に位置して遊技球としてのパチンコ球の入賞によって該可変表示装置７を作動させる始動入賞口８、更に、その下方に位置して前記可変表示装置７の情報が特定の表示に揃ったとき一定の条件で一度に多くの入賞球としてのパチンコ球が得られる入賞装置９、適宜位置に配置される一般入賞口１０といった盤面部品がそれぞれ装着されている。
【００１５】
前面枠２の上部前面に、遊技盤５前面の遊技部５ａを覆い２枚の透明板としてのガラス板１１を前後に平行に配置した透明板保持枠１２が開閉自在に軸着される。また、透明板保持枠１２の下方であって前面枠２の前面に、打球発射部（図示せず。）に供給されるパチンコ球を貯留するための上球皿１３を装着した前板１４が開閉自在に軸着される。更に、前板１４の下方であって前面枠２の前面に前記上球皿１３から溢れるパチンコ球を貯留する下球皿１５が装着され、その一側には打球の打球力を調整するための操作ハンドル１６が装着されている。
【００１６】
一方、前記前面枠２の裏側に、遊技盤５の裏面を覆うようにして合成樹脂製の機構板１７が開閉自在に装着される。機構板１７の中央に、遊技盤５の裏面に取り付けられると共に遊技盤５の裏側へ入賞球として排出されるパチンコ球を集めて下方へ導く入賞球集合カバー１８が臨む開口１９を開設している。
【００１７】
機構板１７の裏面には、前記開口１９を囲うようにその上部に遊技球供給源である球タンク２０が配置され、その下方にタンクレール２１が配置されると共にその流下端にカーブレール２２が設けられ、更に、その下端に縦向きの球誘導樋２３が配置される。そして、その流下端に球払出装置２４が配設されている。球払出装置２４の下方には、該球払出装置２４から払い出されるパチンコ球を前記上球皿１３に導くための球払出樋２５が設けられる。
【００１８】
図３は球誘導樋と球払出装置との斜視図、図４は同分解斜視図である。球誘導樋２３は合成樹脂製であり前後二条に成形され、また、図３、図４ではこれら球誘導樋２３，２３は全体の下半部分であって、球払出装置２４に近い部位が略つの字状に屈曲している。これに対し、各上半部分は図２に示すように略直線状に成形される。
【００１９】
そして、前記各球誘導樋２３の所定位置、すなわち、下方へ屈曲する屈曲部２６（図３では二箇所）であって、その上側壁２３ａに所定の大きさを有する切欠凹部２７（ここでは孔）が設けられている。各切欠凹部２７は、球払出装置２４内の後記する球送り部材である各スプロケット３３より上方の通路内に留まり連なって並ぶパチンコ球のいずれかが、各スプロケット３３が停止しているとき、前記各切欠凹部２７にその一部を一時的に入り込ませることにより、各スプロケット３３に対する球荷重をできるだけ軽減するためのものである。
【００２０】
前記各切欠凹部２７の位置は、各スプロケット３３の上面に載るパチンコ球から上方へ数え、しかも、前記各屈曲部２６の付近に来るパチンコ球の位置として決められる。各切欠凹部２７は、通路壁を貫設した孔であっても、単に窪みであっても良い。また、球誘導樋２３の通路にパチンコ球が連なって並んだ状態で、各切欠凹部２７に一部を入り込ませたパチンコ球がそれより上方のパチンコ球の球荷重の一部を担い、しかも、それより下方のパチンコ球が流下すると、切欠凹部２７から外れてそのまま流下するように各切欠凹部２７の大きさ・深さが選ばれる。
【００２１】
球払出装置２４は、合成樹脂製であって箱枠状のケース２８からなり、該ケース２８は右枠体２８ａと左枠体２８ｂとその間に介在する中枠体２８ｃとにより三分割して成形される。そして、これらが前後方向に合体することにより、上端に前記球誘導樋２３の各通路下端と連通する供給口２９ａ、下端にパチンコ球を払い出す排出口２９ｂが開設された前後二条の球通路３０，３０が設けられる。各球通路３０は、上部の供給側が略Ｓの字状に成形され、下部の排出側がほぼ直線的に成形されている。
【００２２】
前記ケース２８の下部に一側で開放する空洞部３１が成形され、各球通路３０下部側の一側に開設された開口３２が空洞部３１と連通している。そして、前記空洞部３１内に外周縁が開口３２を介して各球通路３０内へ臨む一対のスプロケット３３，３３が配置される。
【００２３】
両スプロケット３３，３３は、両端が開放する軸筒部３４の両端部に該軸筒部３４の中心軸に対し直角となるように設けられ、該軸筒部３４の一端が左枠体２８ｂの内面から空洞部３１内へ突出する支軸３５に軸支されている。また、右枠体２８ａの外側面に螺子３６により駆動手段であるステッピングモータ３７が固着され、右枠体２８ａの通孔３８から空洞部３１内に臨むステッピングモータ３７の駆動軸３９に前記軸筒部３４の他端が軸支されている。
【００２４】
また、前記スプロケット３３は、共に同じ形状をしており、その外周に三枚の羽根４０，４０，４０を等間隔に有し、各羽根４０間に円弧状に窪みパチンコ球を受け入れる球受部４１が設けられている。また、左右のスプロケット３３，３３は、回転方向に沿って所定の角度位相がずれている。これにより、各スプロケット３３が回転して、各球通路３０からそれぞれ交互にパチンコ球を排出するようになっている。
【００２５】
各球通路３０の下端部に球検出器４２が配置され、各球通路３０から払い出されるパチンコ球を検出する。検出された信号は中央制御装置（図示せず。）に送られ、所定量のパチンコ球を排出するように両スプロケット３３，３３の回転が制御される。
【００２６】
図５に示すように、各球通路３０の供給側であって、下方へ屈曲する屈曲部４３の内側壁３０ａに前記と同様に所定の大きさ・深さを有する切欠凹部２７ａが設けられる。この切欠凹部２７ａも、スプロケット３３が停止しているとき、スプロケット３３より上方の通路内に留まり連なって並ぶパチンコ球のいずれかの一部を前記切欠凹部２７ａに一時的に入り込ませることにより、スプロケット３３に対する球荷重をできるだけ軽減するためのものである。
【００２７】
更に、各球通路３０の排出側であって、所定の位置で停止したスプロケット３３の球受部４１と対向する外側壁３０ｂにも前記と同様に切欠凹部２７ｂが設けられる。この場合、球受部４１内に受け止められるパチンコ球は、切欠凹部２７ｂ側にもその一部が入り込んで受け止められ、これにより球送り部材３３に対する球荷重が軽減される。
【００２８】
右枠体２８ａと左枠体２８ｂには、それぞれ適宜位置に対応して螺子挿通孔４４と螺子孔４５が設けられ、中枠体２８ｃを挟んでその前後面に右枠体２８ａと左枠体２８ｂを配置し、各螺子孔４５に各螺子挿通孔４４を介して螺子４６を螺入することによりケース２８が一体に組み付けられることになる。
【００２９】
本発明に係るパチンコ遊技機Ｐは上記構成からなり、次に作用について説明する。前後側の球誘導樋２３，２３と球通路３０，３０はほぼ同じ構造なので、便宜上、前側の球誘導樋２３と球通路３０について説明する。パチンコ遊技機Ｐが稼動する前に、球タンク２０には所要量のパチンコ球が充填されており、そこから落下するパチンコ球Ｂは、タンクレール２１、カーブレール２２、球誘導樋２３を経て球払出装置２４内に流入する。
【００３０】
球払出装置２４のスプロケット３３は、電気的信号のない限り回転しないことから、この場合、スプロケット３３は停止しており、図５に示すように前側の球通路３０内の最先端のパチンコ球Ｂ１はスプロケット３３の羽根４０の上面に載っている。しかも、そのパチンコ球Ｂ１の荷重は球送り部材３３の中心軸線に近い位置に掛かるようになっている。また、図示は省略するが、このとき後側の球通路３０内のパチンコ球は上部に位置する球受部４１内に入っている。
【００３１】
そこで、パチンコ遊技機Ｐが稼動中に入賞球が発生すると、電気的信号が球払出装置２４に送られ、ステッピングモータ３７が駆動してスプロケット３３が所定回数回転し、所定量のパチンコ球Ｂを球通路３０の排出側から払い出す。この際、各パチンコ球Ｂは球検出器４２により検知される。
【００３２】
パチンコ遊技機Ｐの一日の稼動が終わると、パチンコ遊技機Ｐへの電源の供給が停止される。この際、図５に示すように球払出装置２４及び球誘導樋２３内にはパチンコ球Ｂが留まり残っており、翌日までそのままになっている。この状態では、スプロケット３３にその上方に連続するパチンコ球Ｂの球荷重が加わることになるが、例えば、図５想像線に示すように前側のスプロケット３３の球受部４１内にパチンコ球Ｂ２が残っていると、その球荷重もスプロケット３３に加わることになる。
【００３３】
ところが、球誘導樋２３における各切欠凹部２７に、連続して並ぶパチンコ球Ｂの内いずれかのパチンコ球、ここではパチンコ球Ｂ３，Ｂ４の一部が各切欠凹部２７に入り込んで、それより上流側のパチンコ球Ｂの球荷重を軽減する。また、球通路３０の供給側の切欠凹部２７ａにパチンコ球Ｂ５の一部が入り込み、同じくそれより上流側のパチンコ球Ｂの球荷重を軽減する。更に、スプロケット３３の球受部４１に受け止められているパチンコ球Ｂ２も切欠凹部２７ｂにその一部が入り、スプロケット３３に対する球荷重が軽減されている。
【００３４】
このように、各切欠凹部２７，２７ａ，２７ｂに各パチンコ球Ｂ２，Ｂ３，Ｂ４，Ｂ５の一部が一時的に入り込むことにより、スプロケット３３に対する球荷重を軽減させる。よって、例えば、営業終了後に遊技盤５面の障害釘を調整したり、透明板保持枠１２を開閉する際などの衝撃がパチンコ遊技機Ｐ裏側の球払出装置２４へ伝わっても、スプロケット３３が無用に回転すことがなくなり、球受部４１内のパチンコ球Ｂ２も払い出されるようなことはない。このようにして、パチンコ球の無用な払い出しが防止される。
【００３５】
また、スプロケット３３より上方の通路壁内面に切欠凹部２７ａ，２７が設けられる場合は、スプロケット３３に対するその球通路の遊技球Ｂによる球荷重が軽減されることとなり、これによりスプロケット３３を回転または停止させるステッピングモータ３７を小型化でき、引いては、球払出装置２４全体のコンパクト化が可能となる。
【００３６】
本実施の形態にあっては、球誘導樋２３と球通路３０の供給側及び排出側とに共に切欠凹部２７，２７ａ，２７ｂを設けるようにしたが、例えば図６（イ）に示すように球通路３０であって排出側のみに切欠凹部２７ｂを設けても良い。この場合、スプロケット３３の上方に並ぶパチンコ球Ｂの球荷重がスプロケット３３に掛かるが、その球荷重はスプロケット３３の中心線軸に近い位置に掛かることから、スプロケット３３を無用に回転させようとする力は比較的小さい。よって、パチンコ球Ｂ２が球受部４１に入った状態で衝撃を受けるとそのパチンコ球の影響は大きいが、切欠凹部２７ｂにもその一部が入り込んでいるので、その分球荷重が軽減されスプロケット３３の無用な回転、パチンコ球Ｂ２の無用な払い出しを防止できる。
【００３７】
また、図６（ロ）に示すように球通路３０の供給側のみに切欠凹部２７ａを設けるようにしても良い。この場合も、スプロケット３３の上方に並ぶパチンコ球Ｂの球荷重がスプロケット３３に掛かることから、スプロケット３３を無用に回転させようとする力は生ずる。しかし、切欠凹部２７ａにパチンコ球Ｂ５の一部が入り込むことによりスプロケット３３に対する球荷重が軽減されるので、パチンコ球が球受部４１に入った状態で衝撃を受けたとしても、その分スプロケット３３の無用な回転、パチンコ球Ｂ２の無用な払い出しが防止できる。
【００３８】
前記各切欠凹部２７，２７ａ，２７ｂが球誘導樋２３や球通路３０の各通路壁に貫設された孔であれば、そこからゴミを排出することもでき至便である。また、通路壁を窪ませるに過ぎない構成であることから、構成が簡単であり成形も容易にできる。
【００３９】
また、本発明における球送り部材は、その軸が球通路３０のパチンコ球の流下方向に対して直交しており、外周に羽根４０を二枚、本発明のように三枚、また四枚、五枚、六枚、更にそれ以上の枚数設けた所謂スプロケットタイプのもの、または外周の羽根を回転軸線に沿って螺旋状に成形した所謂リードスクリュータイプのものなど回転して球を送るものであれば良い。
【図面の簡単な説明】
【００４０】
【図１】本発明に係るパチンコ遊技機の正面図。
【図２】同裏面図。
【図３】球誘導樋と球払出装置の斜視図。
【図４】同分解斜視図。
【図５】同正面断面図。
【図６】（イ）は他の実施の形態に係る球誘導樋と球払出装置の正面断面図、（ロ）は他の実施の形態に係る球誘導樋と球払出装置の正面断面図。
【符号の説明】
【００４１】
２０                  遊技球供給源（球タンク）
２３                  球誘導樋
２４                  球払出装置
２７                  切欠凹部
２７ａ                切欠凹部
２７ｂ                切欠凹部
３０                  球通路
３３                  球送り部材（スプロケット）
３７                  駆動手段（ステッピングモータ）
Ｂ                    パチンコ球
Ｐ                    弾球遊技機（パチンコ遊技機）
【図１】
2006087734.tif 000003
【図２】
2006087734.tif 000004
【図３】
2006087734.tif 000005
【図４】
2006087734.tif 000006
【図５】
2006087734.tif 000007
【図６】
2006087734.tif 000008